【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
少なくとも１つのツイストペア、１つのネットワークケーブル、１つの装備を施されたネットワークケーブルおよびそれらの組み合わせからなるグループから選択されたカスケードしている相互接続されたネットワークケーブルを介して符号化されたステレオ信号を伝播することによって、セレクター／エンコーダーを、サウンド分配器を介してＡおよびＢスピーカーの単一のペアとＡおよびＢスピーカーの前記ペアの少なくとも１つの１つと、ホームオートメーションのサウンド分配システムに組み合わせるための方法であって、前記カスケードしているネットワークの少なくとも１つのセグメントは、コネクター、ピグテール、装置を施されたピグテール、ジャンクションボックス、ジャンクションボード、ジャンクションストリップ、端子ブロックおよびそれらの組み合わせからなるグループから選択された壁ソケットによって交差され、前記Ａスピーカーの各々は、前記ステレオ信号を複合するための複合部と、複合された信号を増幅し、増幅されたステレオ信号を前記ＡおよびＢスピーカーに供給するためのステレオアンプと、前記符号化されたステレオ信号に多重化されたものの１つを介して、および第三のツイストペアを通して、直接前記セレクター／エンコーダーとおよび前記分配器を介して前記セレクター／エンコーダーとの１つで、シリアル信号を交換するためのＣＰＵを含み、前記方法は、
ａ．前記符号化されたステレオ信号を前記デコーダーに供給するために、前記ケーブルと直接および前記サウンド分配器を介しての１つを介して、前記セレクター／エンコーダーを前記Ａスピーカーに相互接続するステップと、
ｂ．前記１つのツイストペアを介した一定の電流、第二のツイストペアを介したＤＣパワー、前記サウンド分配器を通してカスケードしている前記１つのツイストペアを介した前記一定の電流、および前記サウンド分配器を通してカスケードしている前記第二のツイストペアを介した前記ＤＣパワーからなるグループから選択されたフィードによって、前記Ａスピーカーを含んだ前記サウンド分配システムにパワーを与えるために、前記セレクター／エンコーダーをパワーサプライに接続するステップと、
ｃ．前記増幅されたステレオ信号のＢチャネルを前記Ｂスピーカーに供給するために、前記ＡおよびＢスピーカーの間でカスケードしている後続のセグメントケーブルのツイストペアを相互接続するステップと、
ｄ．ステレオケーブルを介して前記セレクター／エンコーダーを少なくとも１つの音楽ソースに接続するステップと、
ｅ．前記第三のスイスとペアと前記１つのツイストペアを介した前記多重化されたものの少なくとも１つを介して、前記シリアル信号を前記セレクター／エンコーダーと前記複号部の間で交換するステップと、
ｆ．前記サウンド分配システムを、前記セレクター／エンコーダーのタッチキーを介してかまたは前記セレクター／エンコーダーと関連付けられた遠隔制御部を介して、操作するステップと、
を含む方法。
【請求項２】
サウンドパワー出力を増加するための前記アンプによるより高い電流ドレインを提供するように、充電可能なバッテリーが前記Ａスピーカーと関連付けられており、前記復号部に一定の電流を供給することの１つは、前記バッテリーを充電するための電流を含み、前記ＤＣパワーは、前記バッテリーをランダムに充電することを提供する、請求項１によるサウンド分配システムを組み合わせるための方法。
【請求項３】
前記第一のセグメントは、前記少なくとも１つの壁ソケットによって交差された前記装備を施されたネットワークケーブルからなり、前記装備を施されたネットワークケーブルは、少なくとも前記１つのツイストペアからなる、請求項１によるサウンド分配システムを組み合わせるための方法。
【請求項４】
前記Ａスピーカーはマイクロホンを含み、前記１つのツイストペアを介して前記符号化されたステレオ信号と多重化されたマイクロホン信号と、第四のツイストペアと少なくとも１つの遠隔制御受信機を介したアナログマイクロホン信号の１つを供給し、
前記セレクター／エンコーダーと前記サウンド分配器の１つは、前記アナログマイクロホン信号の１つをインターコムに、前記多重化された信号から抽出されたマイクロホン信号を前記インターコムに供給し、前記インターコムスピーカー信号のためのバッファーと、前記シリアル信号を前記インターコムと交換するためのポートを含み、
前記壁ソケットと前記サウンド分配器の１つは、４つのツイストペアを接続することを提供し、１つは前記インターコムスピーカーラインを前記セレクター／エンコーダーに接続し、もう１つは直接および前記サウンド分配器を介しての１つを介してマイクロホンラインを前記インターコムに接続し、第三のツイストペアは前記サウンド分配システムの制御および操作を戦記インターコムと一体化するために前記インターコムのシリアル信号ラインを前記ポートと相互接続するためのものであり、前記方法は、
ａ．前記インターコムスピーカー信号を前記セレクター／エンコーダーに、前記マイクロホン信号を前記インターコムに伝播するため、および前記シリアル信号を前記セレクター／エンコーダーと前記サウンド分配器の前記少なくとも１つと前記インターコムの間で交換するために、インターコムスピーカーラインとマイクロホンラインと前記インターコムの前記シリアル信号ラインを前記壁ソケットと前記サウンド分配器の１つにに接続するステップと、
ｂ．インターコムモードに切り替えるようにと、前記インターコムスピーカー信号のモノラルサウンドを符号化するようにと、前記マイクロホンと前記インターコムとのオープンボイス通信を可能とするように、前記シリアル信号を介して前記セレクター／エンコーダーと前記サウンド分配器と前記復号部と前記インターコムに命令するステップと、
ｃ．前記タッチキーと前記インターコムのキーの１つかまたは前記遠隔制御部を介した前記インターコム操作のその他の機能を含んだ、前記インターコムとの通信を制御するステップと、
を更に含む、請求項３によるサウンド分配システムを組み合わせるための方法。
【請求項５】
前記ＡおよびＢスピーカーの少なくとも１つは、前記ＡおよびＢスピーカーを接続している前記ケーブルを介しておよび前記セレクター／エンコーダーと前記サウンド分配器を接続している前記ケーブルを介して、遠隔制御信号を含んだ前記シリアル信号を交換するための少なくとも１つの遠隔制御受信機と少なくとも１つの遠隔制御送信機を含み、
前記セレクター／エンコーダーと前記サウンド分配器の各々は、前記サウンド分配システムを前記ホームオートメーションシステムと一体化するために、ホームオートメーション分配器のシリアルポートを通して前記遠隔制御信号を含んだ前記シリアル信号を交換するためのポートを含み、前記方法は、
ａ．前記ホームオートメーション分配器の前記シリアルポートを前記サウンド分配器と前記セレクター／エンコーダーの１つの前記ポートに接続するステップと、
ｂ．前記セレクター／エンコーダー、前記サウンド分配器、前記ホームオートメーション分配器、前記遠隔制御部、前記Ａスピーカー、前記Ｂスピーカー、前記シリアルポート、前記ポート、前記ホームオートメーションシステムに含まれた遠隔制御ドライバーおよびそれらの組み合わせからなるグループから選択された媒体を通して、前記ホームオートメーション分配器と前記サウンド分配器と前記セレクター／エンコーダーの間で前記シリアル信号を交換することによって、前記ホームオートメーションと一体化されたサウンドを操作するステップと、
を更に含む、請求項１によるサウンド分配システムを組み合わせるための方法。
【請求項６】
前記セレクター／エンコーダー、前記遠隔制御部、前記Ａスピーカー、前記Ｂスピーカー、前記シリアル信号、前記シリアルポート、前記ポート、前記サウンド分配器、前記ホームオートメーション分配器、前記インターコム、前記ホームオートメーションシステムに含まれた遠隔制御ドライバーおよびそれらの組み合わせからなるグループから選択された媒体を通して、３つのシステムの制御を前記サウンド分配と前記インターコムと前記ホームオートメーションを操作するための１つに一体化するために、前記サウンド分配器の前記ポートと前記ホームオートメーション分配器の前記シリアルポートと前記インターコムの前記シリアル信号ラインは相互接続されている、請求項４および５によるサウンド分配システムを組み合わせるための方法。
【請求項７】
前記インターコムは、前記サウンド分配器を通して交換された前記シリアル信号と前記インターコムスピーカー信号と前記マイクロホン信号を含んだ、前記インターコムシステムによって生成されたビデオ、オーディオ、データ、コマンド、制御、警報およびそれらの組み合わせからなるグループから選択された、組み合わされ多重化された信号を伝播するための組み合わせポートを含み、前記ホームオートメーション分配器と前記サウンド分配器の少なくとも１つは、信号変換器、モデム、ＡＤＳＬ、ＰＣ、ＰＣサーバー、ＰＣプログラム、ＵＳＢ変換器、ネットワーク通信器、ルーター、ネットワークスイッチおよびそれらの組み合わせからなるグループから選択されたインターフェース部に、多重化された信号の前記組み合わせを伝播するために、逆ポートとインターフェ−スコネクターを含み、前記方法は
ａ．前記インターコムの前記組み合わせポートを前記ホームオートメーション分配器と前記サウンド分配器の１つの前記逆ポートと、前記インターフェース部を前記インターフェースコネクターに、接続するステップと、
ｂ．前記ホームオートメーションを遠隔的に操作するためにネットワークを介して通信することに適応されたインターフェースされた信号を伝播するため、および前記インターコムと、またｅ−緊急事態、ｅ−医療、ｅ−病院、ｅ−サービス、ｅ−ショッピングおよびそれらの組み合わせからなるグループから選択されたｅ−ステーションと通信するために、前記インターフェース部を、ローカルエリアネットワーク、ワイドエリアネットワーク、公衆ネットワーク、専用ネットワーク、インターネットおよびそれらの組み合わせからなるグループから選択されたネットワークに接続するステップと、
ｃ．前記セレクター／エンコーダー、前記遠隔制御部、前記Ａスピーカー、前記Ｂスピーカー、前記シリアル信号、前記シリアルポート、前記ポート、前記ホームオートメーションシステムに含まれた遠隔制御ドライバー、前記ネットワーク、前記インターネットおよびそれらの組み合わせからなるグループから選択された媒体を通して、前記サウンド分配と前記インターコムと前記ホームオートメーションと前記インターフェース部を操作するステップと、
を更に含む、請求項４および６によるサウンド分配システムを組み合わせるための方法。
【請求項８】
前記遠隔制御受信機と前記遠隔制御送信機は、前記インターコムと関連付けられた少なくとも１つの緊急事態および医療デバイスによって生成されたデータと信号を交換するために、ＩＲ、ＲＦ、有線およびそれらの組み合わせからなるグループから選択され、前記デバイスは、前記デバイスによって出力された前記データと信号を前記ｅ−ステーションと通信するため、および前記デバイスを遠隔的に選択的に操作するために、モニター、センサー、カメラ、診断、分析、治療、アプリケーター、生命維持、リハビリテーションおよびそれらの組み合わせからなるグループから選択される、請求項７によるサウンド分配システムを組み合わせるための方法。
【請求項９】
前記分配器と前記インターフェース部の少なくとも１つは、テレビセット、ビデオモニター、タブレットモニター、ＰＣディスプレイモニター、セットトップボックス、ケーブルボックス、アンテナボックス、衛星ボックス、デジタル−アナログ変換器ボックス、アナログ−デジタル変換器ボックス、チューナーボックス、ＰＣ、タブレットコントローラ、ビデオセレクターおよびそれらの組み合わせからなるグループから選択されたスクリーン上に訪問者画像を表示するために、前記組み合わされ多重化された信号から前記ビデオ信号を抽出するための抽出器を含み、前記方法は、
ａ．前記ホームオートメーション分配器と前記サウンド分配器と前記セレクター／エンコーダーと前記インターフェース部の１つから前記スクリーンにビデオフィードケーブルを接続するステップと、
ｂ．前記セレクター／エンコーダー、前記遠隔制御部、前記Ａスピーカー、前記Ｂスピーカー、前記シリアルポート、前記ポート、前記ホームオートメーションシステムに含まれた遠隔制御ドライバー、前記インターコムおよびそれらの組み合わせからなるグループから選択された媒体を通して、前記画像を表示するように前記スクリーンを制御するステップと、
を更に含む、請求項７によるサウンド分配システムを組み合わせるための方法。
【請求項１０】
前記セレクター／エンコーダーと前記サウンド分配器と前記Ａスピーカーは、前記符号化されたステレオ信号を第一のツイストペアを介して、前記ＤＣパワーリンクを第二のツイストペアを介して伝播し、前記シリアル信号はカスケードしている装備を施されたネットワークケーブルの第三のツイストペアを介して交換され、前記セレクター／エンコーダーと前記サウンド分配器と前記Ａスピーカーと前記Ｂスピーカーは、前記装備を施されたネットワークケーブルのためのマッチしたコネクターを含み、前記Ｂスピーカーはまた、前記装備を施されたネットワークケーブルを介して前記Ａスピーカーに接続する、請求項１によるサウンド分配システムを組み合わせるための方法。
【請求項１１】
少なくとも１つのツイストペア、１つのネットワークケーブル、１つの装備を施されたネットワークケーブルおよびそれらの組み合わせからなるグループから選択されたカスケードしている相互接続されたネットワークケーブルを介して符号化されたステレオ信号を伝播することによって、セレクター／エンコーダーを、サウンド分配器を介してＡおよびＢスピーカーの単一ペアとＡおよびＢスピーカーの前記ペアの少なくとも１つの１つと、ホームオートメーションのサウンド分配システムに組み合わせるための装置であって、前記カスケードしているネットワークの少なくとも１つのセグメントは、コネクター、ピグテール、装備を施されたピグテール、ジャンクションボックス、ジャンクションボード、ジャンクションストリップ、端子ブロックおよびそれらの組み合わせからなるグループから選択された壁ソケットによって交差され、前記Ａスピーカーの各々は、前記ステレオ信号を複号するための複号部と、復号された信号を増幅し、増幅されたステレオ信号を前記ＡおよびＢスピーカーに供給するためのステレオアンプと、前記符号化されたステレオ信号に多重化されたものの１つを介して、および第三のツイストペアを通して、直接前記セレクター／エンコーダーとおよび前記分配器を介して前記セレクター／エンコーダーとの１つで、シリアル信号を交換するためのＣＰＵを含み、
前記セレクター／エンコーダーは、前記符号化されたステレオ信号を前記デコーダーに供給するため、および前記第三のツイストペアと前記１つのツイストペアを介した前記多重化されたものの少なくとも１つを介して、前記シリアル信号を前記セレクター／エンコーダーと前記複号部の間で交換するために、前記ケーブルと直接および前記サウンド分配器を介しての１つを介して、前記Ａスピーカーに接続され、また前記１つのツイストペアを介した一定の電流、第二のツイストペアを介したＤＣパワー、前記サウンド分配器を通してカスケードしている前記１つのツイストペアを介した前記一定の電流、および前記サウンド分配器を通してカスケードしている前記第二のツイストペアを介した前記ＤＣパワーからなるグループから選択されたパワーフィードによって、前記Ａスピーカーを含んだ前記サウンド分配システムにパワーを与えるために、パワーサプライに接続され、
前記Ｂスピーカーは、前記増幅されたＢチャネル信号を入力するために、前記Ａスピーカーと後続セグメントケーブルのツイストペアによって接続され、前記セレクター／エンコーダーは、ステレオケーブルを介して少なくとも１つの音楽ソースに入力コネクターを通して接続され、前記サウンド分配システムは、前記セレクター／エンコーダーのタッチキーを介してかまたは前記セレクター／エンコーダーと関連付けられた遠隔制御部を介して、操作される、
装置。
【請求項１２】
サウンドパワー出力を増加するための前記アンプによるより高い電流ドレインを提供するように、充電可能なバッテリーが前記Ａスピーカーと関連付けられており、前記復号部に一定の電流を供給することの１つは、前記バッテリーを充電するための電流を含み、前記ＤＣパワーは、前記バッテリーをランダムに充電することを提供する、請求項１１によるサウンド分配システムを組み合わせるための装置。
【請求項１３】
前記第一のセグメントは、前記少なくとも１つの壁ソケットによって交差された前記装備を施されたネットワークケーブルからなり、前記装備を施されたネットワークケーブルは、少なくとも前記１つのツイストペアからなる、請求項１１によるサウンド分配システムを組み合わせるための装置。
【請求項１４】
前記Ａスピーカーは、前記１つのツイストペアを介して前記符号化されたステレオ信号と多重化されたマイクロホン信号と、第四のツイストペアと少なくとも１つの遠隔制御受信機を介したアナログマイクロホン信号の１つを供給するためのマイクロホンを含み、前記セレクター／エンコーダーと前記サウンド分配器の１つは、前記アナログマイクロホン信号の１つと、前記多重化された信号からの抽出されたマイクロホン信号を前記インターコムに供給し、
前記セレクター／エンコーダーと前記サウンド分配器の１つは、前記インターコムスピーカー信号のためのバッファーと、前記シリアル信号を前記インターコムと交換するためのポートを含み、前記壁ソケットと前記サウンド分配器の１つは、４つのツイストペアを接続することを提供し、１つは前記インターコムのスピーカーラインを前記セレクター／エンコーダーに接続し、もう１つは直接および前記サウンド分配器を介しての１つを介してマイクロホンラインを前記インターコムに接続し、第三のツイストペアは前記サウンド分配システムの制御および操作を前記インターコムと一体化するために前記インターコムのシリアル信号ラインを前記ポートと相互接続するためのものであり、
インターコムモードに切り替えるコマンド、前記インターコムスピーカー信号のモノラルサウンドを符号化するコマンド、前記マイクロホンと前記インターコムとのオープンボイス通信を可能とするコマンドを含んだ、前記セレクター／エンコーダーと前記サウンド分配器と前記複号部と前記インターコムに供給されたコマンドによって、前記インターコムスピーカー信号は前記セレクター／エンコーダーに伝播され、前記マイクロホン信号は前記インターコムに伝播され、前記シリアル信号は前記セレクター／エンコーダーと前記サウンド分配器の前記少なくとも１つと前記インターコムの間で交換され、前記コマンドは、前記セレクター／エンコーダーの前記タッチキーと前記インターコムのキーの１つかまたは前記遠隔制御部を介して生成される、
請求項１３によるサウンド分配システムを組み合わせるための装置。
【請求項１５】
前記ＡおよびＢスピーカーの少なくとも１つは、前記ＡおよびＢスピーカーを接続している前記ケーブルを介しておよび前記セレクター／エンコーダーと前記サウンド分配器を接続している前記ケーブルを介して、遠隔制御信号を含んだ前記シリアル信号を交換するための少なくとも１つの遠隔制御受信機と少なくとも１つの遠隔制御送信機を含み、
前記セレクター／エンコーダーと前記サウンド分配器の各々は、前記サウンド分配システムを前記ホームオートメーションシステムと一体化するために、ホームオートメーション分配器の前記シリアルポートを通して前記遠隔制御信号を含んだ前記シリアル信号を交換するための、前記ホームオートメーション分配器のシリアルポートへの接続のための、ポートを含み、
前記セレクター／エンコーダー、前記サウンド分配器、前記遠隔制御部、前記Ａスピーカー、前記Ｂスピーカー、前記シリアルポート、前記ホームオートメーションシステムに含まれた遠隔制御ドライバーおよびそれらの組み合わせからなるグループから選択された媒体を通して、前記ホームオートメーション分配器と前記サウンド分配器と前記セレクター／エンコーダーの間で前記シリアル信号を交換することによって、前記ホームオートメーションと一体化されたサウンドが操作される、
請求項１１によるサウンド分配システムを組み合わせるための装置。
【請求項１６】
前記セレクター／エンコーダー、前記遠隔制御部、前記Ａスピーカー、前記Ｂスピーカー、前記シリアル信号、前記シリアルポート、前記インターコム、前記ホームオートメーションシステムに含まれた遠隔制御ドライバーおよびそれらの組み合わせからなるグループから選択された媒体を通して、３つのシステムの制御を前記サウンド分配と前記インターコムと前記ホームオートメーションを操作するための１つに一体化するために、前記サウンド分配器の前記ポートと前記ホームオートメーション分配器の前記シリアルポートと前記インターコムの前記シリアル信号ラインは相互接続されている、請求項１４および１５によるサウンド分配システムを組み合わせるための装置。
【請求項１７】
前記インターコムは、前記サウンド分配器を通して交換された前記シリアル信号と前記インターコムスピーカー信号と前記マイクロホン信号を含んだ、前記インターコムシステムによって生成されたビデオ、オーディオ、データ、コマンド、制御、警報およびそれらの組み合わせからなるグループから選択された、組み合わされ多重化された信号を伝播するための組み合わせポートを含み、前記ホームオートメーション分配器とサウンド分配器の少なくとも１つは、信号変換器、モデム、ＡＤＳＬ、ＰＣ、ＰＣサーバー、ＰＣプログラム、ＵＳＢ変換器、ネットワーク通信器、ルーター、ネットワークスイッチおよびそれらの組み合わせからなるグループから選択されたインターフェース部に、多重化された信号の前記組み合わせを伝播するために、逆ポートとインターフェ−スコネクターを含み、
前記サウンド分配を含んだ前記ホームオートメーションを遠隔的に操作するためにネットワークを介して通信することに適応されたインターフェースされた信号を伝播するため、および前記インターコムと、またｅ−緊急事態、ｅ−医療、ｅ−病院、ｅ−サービス、ｅ−ショッピングおよびそれらの組み合わせからなるグループから選択されたｅ−ステーションと通信するために、前記インターフェース部は、ローカルエリアネットワーク、ワイドエリアネットワーク、公衆ネットワーク、専用ネットワーク、インターネットおよびそれらの組み合わせからなるグループから選択されたネットワークに接続する、
請求項１４および１６によるサウンド分配システムを組み合わせるための装置。
【請求項１８】
前記遠隔制御受信機と前記遠隔制御送信機は、前記インターコムと関連付けられた少なくとも１つの緊急事態および医療デバイスによって生成されたデータと信号を交換するために、ＩＲ、ＲＦ、有線およびそれらの組み合わせからなるグループから選択され、前記デバイスは、前記デバイスによって出力された前記データと信号を前記ｅ−ステーションと通信するため、および前記デバイスを遠隔的に選択的に操作するために、モニター、センサー、カメラ、診断、分析、治療、アプリケーター、生命維持、リハビリテーションおよびそれらの組み合わせからなるグループから選択される、請求項１７によるサウンド分配システムを組み合わせるための装置。
【請求項１９】
前記分配器と前記インターフェース部の少なくとも１つは、テレビセット、ビデオモニター、タブレットモニター、ＰＣディスプレイモニター、セットトップボックス、ケーブルボックス、アンテナボックス、衛星ボックス、デジタル−アナログ変換器ボックス、アナログ−デジタル変換器ボックス、チューナーボックス、ＰＣ、タブレットコントローラ、ビデオセレクターおよびそれらの組み合わせからなるグループから選択されたスクリーン上に画像を表示するために、前記組み合わされ多重化された信号から前記ビデオ信号を抽出するための抽出回路を含み、
前記ホームオートメーション分配器と前記サウンド分配器と前記セレクター／エンコーダーと前記インターフェース部の少なくとも１つは、ビデオフィードケーブルを介して、前記セレクター／エンコーダー、前記遠隔制御部、前記Ａスピーカー、前記Ｂスピーカー、前記シリアルポート、前記ポート、前記ホームオートメーションシステムに含まれた遠隔制御ドライバー、前記インターコムおよびそれらの組み合わせからなるグループから選択された媒体へのコマンドによって前記画像を表示するための前記スクリーンに接続される、
請求項１７によるサウンド分配システムを組み合わせるための装置。
【請求項２０】
前記セレクター／エンコーダーと前記サウンド分配器と前記Ａスピーカーは、前記符号化されたステレオ信号を第一のツイストペアを介して、前記ＤＣパワーリンクを第二のツイストペアを介して伝播し、前記シリアル信号はカスケードしている装備を施されたネットワークケーブルの第三のツイストペアを介して交換され、前記セレクター／エンコーダーと前記サウンド分配器と前記Ａスピーカーと前記Ｂスピーカーは、前記装備を施されたネットワークケーブルのためのマッチしたコネクターを含み、前記Ｂスピーカーはまた、前記装備を施されたネットワークケーブルを介して前記Ａスピーカーに接続する、請求項１１によるサウンド分配システムを組み合わせるための装置。